(57)【要約】      （修正有）【課題】被介護者の動きにより接合箇所がキシム音を無くした小旋回身体移動補助装置を提供する。【解決手段】大円形板の中心穴内に中心パイプＴの上端部を固着し、大円形板の外周の四方に固着させる各平角棒ＨＲの先端部それぞれに開ける各穴内に寸切りボルトＳＢの上端部を固着させた全体を大型金物部分とし、他方円板の中心穴にロングナットＲＮの上端部を固着し、円板とロングナットＲＮの外周の左右双方とに各上板片ＵＰを固着させてナット部品とし、床構造用合板Ｙに開ける各穴それぞれに中心パイプＴと寸切りボルトＳＢとを差し入れ、寸切りボルトＳＢの４本それぞれにナット部品をねじ止めし、中心パイプＴの下部分に位置するスライドパイプＳＰの下端部の外周に中心穴内を固着する円形板上に四方均等に固着させる下板片ＣＰのボルト穴と上板片ＵＰのボルト穴とを斜め平角棒ＨＲで十字上に連結した。【選択図】図２
0003227372.tif 000002
【実用新案登録請求の範囲】
【請求項１】
大円形板の中心穴内に中心パイプの上端部を固着し、その大円形板の外周の四方均等位置の4箇所それぞれに一端を固着させる平角棒を十字四方に伸ばした各端部の穴内に寸切りボルトの上端部を固着させそれら全体を大型金物部分とし、他方階下の被介護者が旋回移動する中心位置の階上の床構造用合板の表面と裏面とにエポキシ樹脂を浸透し硬化させて強度と硬度とを向上し、その床構造用合板の旋回中心位置に開ける穴に中心パイプを差し入れて大型金物部分の4本の寸切りボルトの先端が床面に置き当たる事で浮いた状態にし、それら各寸切りボルトの先端の位置を床構造用合板に鉛筆で印し、他方短尺パイプの中心位置の穴に短尺ボルトの上端を固着させて工具とし、その工具のボルト部分を各平角棒に開けたねじ穴の2箇所にねじ入れる二つの工具を掴んで大型金物部分を少し持ち上げて45°旋回させて床に置き、そこで鉛筆で印した床構造用合板の4箇所にボルト穴を開け、再び工具を掴んで持ち上げる大型金物部分の4本の寸切りボルトをボルト穴に入れ下げて置く事で床構造用合板の下面から寸切りボルトを出し、他方円板の中心穴にロングナットの上端部を固着し、そのロングナットの外周の左右双方それぞれに縦辺を固着させるボルト穴を開けた上板片の上辺を円板に固着させて製作した各ナット部品のロングナット部分を床構造用合板の下面に出した各寸切りボルトそれぞれにねじ回して止める事で床構造用合板を各ナット部品と大型金物部分とで挟み締める状態にし、そして階下の天井裏内に位置する中心パイプの下部分の外周をスライドパイプの内周内に嵌め入れし、そのスライドパイプの下端部の外周を円形板の中心穴内に固着し、その円形板の上面に四方均等それぞれに載せて下辺を固着させるボルト穴の開いた各下板片の縦辺はスライドパイプの外周に固着し、その各下板片それぞれのボルト穴に斜め平角棒の下端部のボルト穴を合わせてボルトで固定し、それらの各斜め平角棒の4本を四方均等に斜め上に上げた上端部それぞれのボルト穴を各ナット部品の上板片のボルト穴に合わせてボルトで固定し、さらに中心パイプに開けたねじ穴内にねじ入れる固定ボルトでスライドパイプを固定し、上記のように大型金物部分全体を一体にする事で各接合箇所のキシムような音を小さくした。
【考案の詳細な説明】
【技術分野】
【０００１】
本考案は、身体移動補助装置を階上の床構造用合板に取り付けできる固定金物の分野。
【背景技術】
【０００２】
先願された特許や実用新案では中心パイプの下端部に固定して十字四方斜め上に伸ばす平角棒の上端部を階上の床構造用合板に固定する4個の固定金物それぞれと中心パイプの上端部に固着する円形板との5個それぞれが離れた位置にある為に、中心パイプの下端部に取り付ける身体移動機から下がる天秤紐に付けた吊り下げホルダーを取り付けた被介護者が前後左右に動く事で身体移動補助装置の各箇所の寸法誤差によるキシム音で不快感がする。
【先行技術文献】
【特許文献】
【０００３】
【特許文献１】特願2019−5407
【特許文献２】実願2019−1666
【考案の概要】
【考案が解決しようとする課題】
【０００４】
中心パイプの下端部に取り付ける身体移動機から下がる天秤紐に付ける吊り下げホルダーを取り付けた被介護者が前後左右に動く事で聞こえるキシム音を少しでも小さくする。  
【課題を解決するための手段】
【０００５】
上記目的を達成する為に、大円形板の中心穴内に中心パイプの上端部を固着し、その大円形板の外周の四方均等位置の4箇所それぞれに一端を固着させる平角棒を十字四方に伸ばした各端部の穴内それぞれに寸切りボルトの上端部を固着させて各寸切りボルトを各平角棒の端部の下面から出し、それら中心パイプを固着させた大円形板と各寸切りボルトを固着させた4本の平角棒との全体を一体にして大型金物部分を製作した。
【０００６】
階下の被介護者が旋回移動する中心位置の真上に位置する階上の2枚の床構造用合板の表面と裏面とにエポキシ樹脂を浸透し硬化させて硬度と強度とを向上し、その旋回中心位置に開ける穴に大型金物部分の中心パイプを差し入れて4本の寸切りボルトの先端が床構造用合板の上面に当たるまで下げて浮いた状態で各寸切りボルトそれぞれの先端位置を床構造用合板に鉛筆で印した。
【０００７】
短尺パイプの中心に短尺ボルトを固着させて工具とし、各平角棒部分それぞれに開けたねじ穴の2箇所のねじ穴それぞれに工具のボルト部分をねじ入れし、ねじ入れた二つの工具を掴んで大型金物部分を少し持ち上げて45°旋回させて床構造用合板上に置き、そこで鉛筆で印した床構造用合板の4箇所に穴を開け、再び工具を掴んで持ち上げた大型金物部分の4本の寸切りボルトそれぞれを床構造用合板に開けた穴に嵌め入れて大型金物部分の下面を床構造用合板の上面に重ね置く事で床構造用合板の下面の十字四方に4本の寸切りボルトを出した。
【０００８】
円板の中心穴にロングナットの上端部を固着し、そのロングナットの外周の左右双方それぞれにボルト穴の開いた上板片の縦辺を固着し、そのボルト穴の開いた上板片の上辺は円板に固着させる事でナット部品を製作し、それらナット部品の4個それぞれを床構造用合板の下面に出した各寸切りボルトに回し止めて各ナット部品の円板の面と大型金物部分の各平角棒端部の下面とが床構造用合板を挟み締める状態にした。
【０００９】
階下の天井裏内の中心パイプの下部分の外周をスライドパイプの内周内に嵌め入れし、そのスライドパイプの下端部の外周は円形板の中心穴内に固着し、その円形板上に四方均等それぞれに載せて下辺を固着するボルト穴の開いた下板片の縦辺はスライドパイプの外周に固着し、それら各下板片のボルト穴それぞれに4本の斜め平角棒の下端部のボルト穴を合わせてボルトで固定させて四方均等の斜め上方に上げ、上げた各斜め平角棒の上端部の各ボルト穴を各ナット部品それぞれの各上板片のボルト穴に合わせてボルトで固定し、さらに中心パイプのねじ穴にねじ入れる固定ボルトでスライドパイプを固定する事で中心パイプの下端部に取り付ける身体移動機が横揺れの力を受けた場合でも大型金物部分の全体が一体の為各接続箇所のキシムような音は小さくなる。
【考案の効果】
【００１０】
中心パイプの下端部に取り付けする身体移動機から吊り下がる吊り下げホルダーを装着した被介護者が前後左右に動く事で聞こえる身体移動補助装置の各箇所の寸法誤差による不快音を小さくできる。
【図面の簡単な説明】
【００１１】
【図１】大型金物部分の斜視図
【図２】身体移動補助装置の断面図
【図３】スライドパイプに円形板と板片といを固着させた斜視図
【図４】ナット部品
【図５】身体移動機の断面図
【図６】身体移動機の使用状態図
【考案を実施するための形態】
【００１２】
大円形板DEの中心穴内に中心パイプTの上端部を固着し、その大円形板DEの外周の四方均等位置の4箇所それぞれに一端を固着させる平角棒HRを十字四方に伸ばした各端部それぞれの各穴内に寸切りボルトSBの上端部を固着し、それら各寸切りボルトSBを各平角棒の下面から下に出し中心パイプTを固着させた大円形板DEと各寸切りボルトSBを固着させた4本の平角棒HRとの全体を一体にする大型金物部分を製作した。
【００１３】
階下の被介護者が旋回移動する中心位置の真上に位置する階上の2枚の床構造用合板Yの表面と裏面とにエポキシ樹脂を浸透し硬化させて硬度と強度とを向上し、その旋回中心位置に開ける穴に大型金物部分の中心パイプTを差し入れて4本の寸切りボルトSBの先端を床構造用合板Yの表面に置き当てる事で床面から浮いた状態になり、そこで各寸切りボルトSBそれぞれの先端の位置を床構造用合板Yにエンピツで印した。
【００１４】
短尺パイプPTの中心穴に短尺ボルトBTの上端部を固着させて工具とし、そして各平角棒HR部分それぞれに開けたねじ穴NAで2箇所のねじ穴NAそれぞれに工具のボルト部分をねじ入れし、入れた二つの工具を掴んで大型金物部分を少し持ち上げし45°旋回させてから床構造用合板Yに置き、そこで鉛筆で印した床構造用合板Yの4箇所に穴を開け、再び工具を掴んで持ち上げる大型金物部分の4本の寸切りボルトSBそれぞれを床構造用合板Yに開けた穴に嵌め入れて大型金物部分の下面を床構造用合板Yの表面に重ね置く事で各平角棒HRの先端部の下面の4本の寸切りボルトSBを床構造用合板Yの下面から下に出した。
【００１５】
円板ENの中心穴にロングナットRNの上端部を固着し、そのロングナットRNの外周の左右双方それぞれにボルト穴BAの開いた上板片UPの縦辺を固着し、そのボルト穴BAの開いた上板片UPの上辺は円板ENの下面に固着させる事でナット部品を製作し、そして床構造用合板Yの下面に出した各寸切りボルトSBにナット部品を回し止める事で各ナット部品の円板EN面と大型金物部分の各平角棒HRの端部の下面とが床構造用合板Yを挟み締める状態にした。
【００１６】
天井D裏内に位置する中心パイプTの下部分の外周をスライドパイプSPの内周内に嵌め入れて配置し、そのスライドパイプSPの下端部の外周を円形板EKの中心穴内に固着し、その円形板EK上に四方均等それぞれに載せて下辺を固着するボルト穴BAの開いた各下板片CPの縦辺はスライドパイプSPの外周に固着し、それら4枚の各下板片CPそれぞれのボルト穴BAに各斜め平角棒Hの下端部のボルト穴BAを合わせてボルトで固定し、それら各斜め平角棒Hを斜め上方に四方均等に上げ、上げた各斜め平角棒Hの上端部のボルト穴を各ナット部品それぞれの各上板片UPのボルト穴SBに合わせてボルトで固定し、さらに中心パイプTのねじ穴にねじ入れる固定ボルトBBでスライドパイプSPを固定する事で中心パイプTの下端部に取り付ける身体移動機が横揺れの力を受けた場合でも大型金物部分の全体が一体な為に各接続箇所のキシムような音を小さくなる。
【符号の説明】
【００１７】
DE    大円形板
HR    平角棒
T      中心パイプ
SB    寸切りボルト
Y      床構造用合板
PT    短尺パイプ
BT    短尺ボルト
NA    ねじ穴
EN    円板
RN    ロングナット
SP    スライドパイプ
BB    固定ボルト
BA    ボルト穴
UP    上板片
CP    下板片
EK    円形板
H      斜め平角棒
M      天井板
YF    フローリング板
J      じゅうたん
【図１】
0003227372.tif 000003
【図２】
0003227372.tif 000004
【図３】
0003227372.tif 000005
【図４】
0003227372.tif 000006
【図５】
0003227372.tif 000007
【図６】
0003227372.tif 000008
【手続補正書】
【提出日】令和2年4月10日(2020.4.10)
【手続補正１】
【補正対象書類名】明細書
【補正対象項目名】全文
【補正方法】変更
【補正の内容】
【考案の詳細な説明】
【技術分野】
【０００１】  本考案は、身体移動補助装置を階上の床構造用合板に取り付けできる固定金物の分野。
【背景技術】
【０００２】  先願された特許や実用新案では中心パイプの下端部に固定して十字四方斜め上に伸ばす平角棒の上端部を階上の床構造用合板に固定する４個の固定金物それぞれと中心パイプの上端部に固着する円形板との５個それぞれが離れた位置にある為に、中心パイプの下端部に取り付ける身体移動補助機から下がる天秤紐に付けた吊り下げホルダーを取り付けた被介護者の動きが階上の床構造用合板に伝達されて生じるキシム音がする。
【先行技術文献】
【特許文献】
【０００３】
【特許文献１】特願２０１９−５４０７
【実用新案文献１】
２０１９−１６６６
【考案の概要】
【考案が解決しようとする課題】
【０００４】  中心パイプの下端部に取り付ける身体移動補助機から下がる天秤紐に付ける吊り下げホルダーを取り付けた階下の被介護者の前後左右の動きが階上の構造用合板に伝達されて生じるキシム音を無くす。
【課題を解決するための手段】
【０００５】  上記目的を達成する為に、階上の床構造用合板上に設置する正方形板の中心穴内に中心パイプの上端部を固着させて床構造用合板の穴内に下げ、その正方形板の外周の四隅それぞれに一端を固着させる各フラットバーを十字四方それぞれに伸ばし、伸ばした各フラットバーの端部それぞれに開ける穴内に各寸切りボルトの上端部を固着させて床構造用合板の下面から出し、それら正方形板と各フラットバーと各寸切りボルトとを連結固着させて一体の大型金物にした。【０００６】  短尺パイプの中間に開ける穴内に短尺の寸切りボルトの上端部を固着させて工具とし、他方で各フラットバーそれぞれに開けるネジ穴で対称に位置する２箇所のネジ穴それぞれに工具のボルトの下端部をねじ入れし、それら二つの工具を掴んで一体にした大型金物を持ち上げられるようにした。【０００７】  円板の中心穴の下面にロングナットの上端部を固着し、そのロングナットの外周の左右双方の縦それぞれにボルト穴の開いた上板片の縦辺を固着し、その上板片の上辺を円板に固着させる事でナット部品を製作し、それらナット部品の４個それぞれを床構造用合板の下面から出した各寸切りボルトにねじ回して締め止める事で各ナット部品の円板の上面と各フラットバーの端部の下面とが床構造用合板を挟み締める状態にした。【０００８】  階下の天井裏内に位置する中心パイプの下部分の外周をスライドパイプの内周内に嵌め入れし、そのスライドパイプの下端部の外周を円形板の中心穴内に固着し、その円形板上の十字四方それぞれに載せて下辺を固着するボルト穴の開いた各下板片の縦辺それぞれをスライドパイプの外周の縦に固着し、それら各下板片のボルト穴それぞれに各斜め平角棒の下端部のボルト穴を合わせてボルトで固定し、それら各斜め平角棒を十字四方の斜め上に上げる各斜め角棒の上端部の各ボルト穴を各ナット部品それぞれの各上板片のボルト穴に合せてボルトで固定し、さらに中心パイプのねじ穴にねじ入れる固定ボルトをスライドパイプに固定する事で中心パイプの下端部の前後左右の動きを固定し、上記のように中心パイプの下端部に取り付ける小旋回身体移動補助機が前後左右の横揺れの力が階上の床構造用合板に伝達されて生じるキシム音を無くす為に正方形板と各フラットバーと各寸切りボルトとを連結固着させて一体の大型金物にした小旋回身体移動補助装置。
【考案の効果】
【０００９】  中心パイプの上端部に固着する正方形板とその正方形板の四隅に固着する各フラットバーとそのフラットバーの端部の穴に上端を固着する寸切りボルトとを連結固着させて一体にする事で階下の被介護者の動く力が階上の構造用合板に伝達されて生じるキシム音を無くした。
【図面の簡単な説明】
【００１０】
【図１】大型金物部分の斜視図
【図２】身体移動補助装置の断面図
【図３】スライドパイプに円形板と下板片とを固着させた斜視図
【図４】ナット部品の斜視図
【図５】小旋回身体移動補助機の断面図
【図６】小旋回身体移動機の使用状態図
【考案を実施するための形態】
【００１１】階上の床構造用合板Ｙ上に設置する正方形板ＤＥの中心穴内に中心パイプＴの上端部を固着させて床構造用合板Ｙの穴内に下げる中心パイプＴの下端部を下の階の天井Ｍから下に出し、その正方形板ＤＥの四隅それぞれに一端を固着させる各フラットバーＨＲそれぞれを十字四方に伸ばし、伸ばした各フラットバーＨＲの各端部それぞれに開ける各穴ＳＢ内に寸切りボルトＳＢの上端部を固着させて床構造用合板Ｙの下面から下に出し、それら正方形板ＤＥと各フラットバーＨＲと各寸切りボルトＳＢとを連結固着させて一体の大型金物にした。
【００１２】短尺パイプＰＴの中間に開ける穴内に短尺寸切りボルトＢＴの上端部を固着させて工具とし、他方で各フラットバーＨＲそれぞれに開けるネジ穴ＮＡで対称に位置する２箇所のネジ穴ＮＡそれぞれに工具のボルトの下端部をねじ入れし、それら二つの工具を掴んで一体にした大型金物を持ち上げできるようにした。
【００１３】円板ＥＮの中心穴の下面にロングナットＲＮの上端部を固着し、そのロングナットＲＮの外周の左右双方それぞれの縦にボルト穴の開いた上板片ＵＰの縦辺を固着し、その上板片ＵＰの上辺を円板ＥＮの下面に固着させる事でナット部品を製作し、それらナット部品の４個それぞれを床構造用合板Ｙの下面から出した各寸切りボルトＳＢそれぞれにねじ回して締め止める事で各ナット部品の円板ＥＮの上面と各フラットバーＨＲの端部の下面とが床構造用合板Ｙを挟み締める状態にした。
【００１４】階下の天井Ｍ裏内に位置する中心パイプＴの下部分の外周をスライドパイプＳＰの内周内に嵌め入れし、そのスライドパイプＳＰの下端部の外周を円形板ＥＫの中心穴内に固着し、その円形板ＥＫ上の十字四方に載せて下辺を固着させるボルト穴の開いた各下板片ＣＰの縦辺それぞれをスライドパイプＳＰの外周の縦に固着し、それら各下板片ＣＰのボルト穴それぞれに各斜め平角棒Ｈの下端部のボルト穴を合わせてボルトで固定し、その各斜め平角棒Ｈを斜め十字四方に上げる各斜め平角棒の上端部のボルト穴を各ナット部品の各上板片ＵＰのボルト穴に合わせてボルトで固定し、さらに中心パイプＴのネジ穴にねじ入れる固定ボルトＢＢでスライドパイプを固定する事で中心パイプＴの下端部の前後左右の動きを固定し、上記のように中心パイプＴの下端部が前後左右の横揺れの力が床構造用合板Ｙに伝達されて生じるキシム音を無くす為に正方形板ＤＥと各フラットバーＨＲと各寸切りボルトＳＢとを連結固着させて一体の大型金物にした小旋回身体移動装置。
【符号の説明】
【００１５】ＤＥ    正方形板
ＨＲ    平角棒
Ｔ      中心パイプ
ＳＢ    寸切りボルト
Ｙ      床構造用合板
ＰＴ    短尺パイプ
ＢＴ    短尺寸切りボルト
ＮＡ    ねじ穴
ＥＮ    円板
ＲＮ    ロングナット
ＳＰ    スライドパイプ
ＢＢ    固定ボルト
ＵＰ    上板片
ＣＰ    下板片
ＥＫ    円形板
Ｈ      斜め平角棒
Ｍ      天井板
ＹＦ    フローリング板
Ｊ      じゅうたん
【手続補正２】
【補正対象書類名】実用新案登録請求の範囲
【補正対象項目名】全文
【補正方法】変更
【補正の内容】
【実用新案登録請求の範囲】
【請求項１】
階上の床構造用合板の穴に差し入れる中心パイプの上端部を正方形板の中心穴内に固着させて置き、その正方形板の外周の四隅それぞれに一端を固着させて十字四方に伸ばす各フラットバーの端部に開ける各穴内に各寸切りボルトの上端部を固着し、各寸切りボルトを床構造用合板の穴から下に出し、それら正方形板と各フラットバーと各寸切りボルトとを連結固着させて一体の大型金物にし、他方で各フラットバーそれぞれに開けるネジ穴内に各短尺寸切りボルトの上端部を固着させた二つの工具のボルト部分をねじ入れた二つの工具を持って大型金物を上げ下げできるようにし、他方で円板の中心穴の下面にロングナットの上端部を固着し、ロングナットの外周の左右双方それぞれの縦にボルト穴の開いた上板片の縦辺を固着し、その上板片の上辺は円板の下面に固着させる事でナット部品とし、それらナット部品の４個それぞれを床構造用合板の下面から出た各寸切りボルトに回し締めて床構造用合板を各円板の上面と各フラットバーの端部の下面とが挟み締める状態にし、階下の天井裏内の中心パイプの下部分の外周をスライドパイプの内周内に嵌め入れし、そのスライドパイプの下端部の外周を円形板の中心穴内に固着し、その円形板上の十字四方それぞれに縦に載せて固着するボルト穴の開いた下板片の縦辺それぞれはスライドパイプの外周の縦に固着し、各下板片のボルト穴を各斜め平角棒の下端部のボルト穴に合わせてボルトで固定させて十字四方斜めに上げる各斜め平角棒の上端部のボルト穴を各上板片のボルト穴に合わせてボルトで固定し、さらに中心パイプのネジ穴にねじ入れる固定ボルトでスライドパイプを固定する事で中心パイプの下端部の前後左右の動きを固定し、上記のように階下の被介護者の前後左右に動く力が階上の床構造用合板に伝達されて生じるキシム音を無くす為に正方形板と各フラットバーと各寸切りボルトとを連結固着させて一体にした小旋回移動補助装置。
【手続補正３】
【補正対象書類名】図面
【補正対象項目名】図１
【補正方法】変更
【補正の内容】
【図１】
0003227372.tif 000009
【手続補正４】
【補正対象書類名】図面
【補正対象項目名】図５
【補正方法】変更
【補正の内容】
【図５】
0003227372.tif 000010